(57)【要約】【課題】  柱上開閉器の取替えが早急にできない場合でも、その外箱内部にたまった水を容易にかつ確実に、しかも安全に排水して地絡事故などを未然に防止できる穿孔工具および当該工具を用いた応急的な補修方法を提供する。【解決手段】    支承桿と、該支承桿の先端に装着されてなる穿刺部材と、前記支承桿を吊り下げる吊り部材とからなることを特徴とする柱上開閉器の穿孔工具。前記穿刺部材は、その一端に錐体が設けられ、他端にはフックが設けられており、その中間部分が前記支承桿の先端に枢支されて回動可能とされている。吊り部材は、その長さを調整可能である。【選択図】  図１
2008079414.tif 000002
【特許請求の範囲】
【請求項１】
支承桿と、該支承桿の一端に装着され、穿刺端部を有する穿刺部材と、前記支承桿の中間をその中間において支持する支持部材とを備えてなることを特徴とする間接活線工法用穿孔工具。
【請求項２】
前記穿刺部材は、その中間部分が前記支承桿の先端に枢支または軸支され、回動可能とされてなる請求項１に記載の穿孔工具。
【請求項３】
前記穿刺部材は、前記穿刺端部とは反対側の端部にフックを備えてなる請求項１または２に記載の穿孔工具。
【請求項４】
前記支持部材は、前記支承桿の中間を上方から吊り下げ支持するものである請求項１〜３のいずれか１項に記載の穿孔工具。
【請求項５】
前記支持部材は、その全長を調整可能とされてなる請求項１〜４のいずれか１項に記載の穿孔工具。
【請求項６】
外箱板材の腐食によって生じた穴を通して内部に雨水が浸入した柱上開閉器の間接活線工法による応急補修方法であって、請求項１〜５のいずれか1項に記載の穿孔工具を用いて当該柱上開閉器の底板にこれを貫通する排水孔を穿設して、当該排水孔から内部の浸入水を排水する工程と、前記外箱板材の穴を防水性のパッチ材を貼着して塞ぐ工程とを含むことを特徴とする柱上開閉器の応急補修方法。
【請求項７】
前記パッチ材は、水蒸気を通すが、液体水を通さないものである請求項７に記載の柱上開閉器の応急補修方法。
【発明の詳細な説明】
【技術分野】
【０００１】
本発明は、例えば柱上開閉器などの柱上配電機器の外箱の腐食が著しく、内部に雨水が侵入している状況において、該配電機器を取り替えるまでの間、関節活線工法によってその内部にたまった水を排水するのに使用される穿孔工具、および当該穿孔工具を用いた柱上開閉器の応急補修方法に関する。
【背景技術】
【０００２】
高圧架空配電線路には、事故停電の減少や作業停電の縮小などのために必要な箇所の装柱に、通常時の配電線路の開閉を行う高圧気中負荷開閉器などの柱上開閉器が設置されている。この柱上開閉器の外箱は、通常、３ｍｍ程度の鉄板製でその表面に塗装が施されたものであるため、長年経過することにより腐食が進み、著しい場合には部分的に腐食による穴があき、雨天時に雨水がその穴を通じて内部に浸入することがある。
【０００３】
電力事業者は、この腐食の状況を把握し、定期的に取替えを行うべく定期巡視などを実施しており、このような外箱の腐食が著しく進行した柱上開閉器については取り替えることとしているが、柱上開閉器の調達などの準備には時間を要するのが通常である。また、柱上開閉器の取替え作業は当該柱上開閉器の設置された配電路を停電して行われるが、高度な技術を要し慎重に行われる必要があるため、その分停電時間は長くなる可能性がある。しかし、電路によっては長時間の停電ができない状況もあり得、その場合には応急的な補修を行い、柱上開閉器の延命を図ることが必要となる。
【０００４】
この応急的な補修においては、柱上開閉器外箱内部にたまった水が高圧充電部と直接接触して地絡事故などを引き起こす可能性があることから、これを排水して地絡事故などの発生を防止することが重要となる。しかし、外箱内にたまった水を排水するのに作業者が柱上開閉器の真下に不安定な体勢で構え、電動ドリルなどを用いて底板に穿孔したのでは、内部の高圧充電部にドリルの先端が接触し、感電事故などが発生するおそれがあり、仮にそのような事故が起こらなくとも、穿孔と同時に内部にたまった錆を含んだ水が落下して作業者の目に入るなどの危険性があり、安全上問題がある。
【特許文献１】特開平７−１３０２５０号公報
【特許文献２】特開平９−２１３１７７号公報
【特許文献３】特開２００２−７５１４２号公報
【特許文献４】特開２００３−２２３８３３号公報
【特許文献５】特開２００４−５５３１０号公報
【発明の開示】
【発明が解決しようとする課題】
【０００５】
そこで、本発明の目的は、外箱の腐食が著しく、内部に雨水が浸入した柱上開閉器などの柱上配電機器の内部にたまった水を容易かつ確実に、しかも安全に排水して地絡事故などを未然に防止し、柱上配電機器の延命を図ることができる穿孔工具を提供することにある。また、本発明は、柱上配電機器のうち柱上開閉器について当該工具を用いた応急的な補修方法を提供することを目的とする。
【課題を解決するための手段】
【０００６】
前記目的を達成すべく、本発明の間接活線工法用穿孔工具（以下、単に穿孔工具という。）は、支承桿と、該支承桿の一端に装着され、穿刺端部を有する穿刺部材と、前記支承桿をその中間において支持する支持部材とを備えてなることを特徴とする。
【０００７】
本発明の穿孔工具は、梃子の原理を利用し、前記支承桿を梃子棒とし、その中間における前記支持部材との接点および前記支承桿の先端に装着された穿刺部材をそれぞれ支点および作用点としており、前記支承桿の他端に作業者が操作力を及ぼすことで、前記穿刺端部によって柱上配電機器の底板にこれを貫通する穿孔を施すものである。本発明の穿孔工具を用いることで、作業者は柱上配電機器の真下に不安定な体勢で構える必要がなく、大きな力を必要とせずに容易かつ確実に、しかも安全に穿孔作業を行うことができる。
【０００８】
また、本発明の柱上開閉器の応急補修方法は、外箱板材の腐食によって生じた穴を通して内部に雨水が浸入した柱上開閉器の間接活線工法による応急補修方法であって、請求項１〜５のいずれか1項に記載の穿孔工具を用いて当該柱上開閉器の底板にこれを貫通する排水孔を穿設して、当該排水孔から内部の浸入水を排水する工程と、前記外箱板材の穴を防水性のパッチ材を貼着して塞ぐ工程とを含むことを特徴とする。
【０００９】
これにより、柱上配電機器内に浸入した雨水などを排水するとともに、その後雨天の場合でも、雨水の当該柱上配電機器内への浸入を防止できる。前記防水性のパッチ材としては、水蒸気を通すが、液体水を通さない材質のものを使用するのが好ましい。このような材質のパッチ材を用いることで、腐食による穴あきを通しての外部からの雨水などの浸入を防ぐとともに、この浸入水の蒸発により柱上配電機器内が高湿状態となった場合に内部の水蒸気を放散させることができる。
【発明の効果】
【００１０】
本発明の穿孔工具によれば、外箱の腐食が著しく穴のあいた柱上配電機器の内部に浸入した水を確実かつ安全に除去できるので、配電線事故を未然に防止できる。また、本発明の当該穿孔工具を用いて柱上配電機器の排水を行うとともに、防水性のパッチ材を用いて穴あき部分を塞いて応急的に補修することによって、該柱上配電機器の延命を図ることが可能となる。
【発明を実施するための最良の形態】
【００１１】
本発明の穿孔工具は、前記のとおり、梃子棒となる支承桿と、作用点としての穿刺端部を有する穿刺部材と、前記支承桿との接点が支点となる支持部材とを備え、梃子の原理を利用して前記穿刺端部の尖端を柱上配電機器の外箱の排水に適した箇所（例えば底板）に押しつけて、当該外箱の板材を貫通する排水孔を穿設するものである。
【００１２】
前記支承桿は、梃子棒として使用可能な程度の曲げ強度および耐たわみ性を有していれば特に限定されず、例えば、金属製、合成樹脂製、木製などの棒状体や管状体などを使用できる。支承桿として金属製の棒体や管体を用いる場合、これらの外周面全面又はその一部に絶縁被覆を施しておくのがよい。このような支承桿として例えば、間接活線工法に使用される絶縁操作棒などを好適に使用できる。この絶縁操作棒は、鉄製のパイプ外周面全面に絶縁被覆を施した金属製のパイプであり、その先端に各種先端工具を装着可能な装着部を備えたものである。
【００１３】
前記穿刺端部は、柱状配電機器の外箱板材を貫通する鋭利な尖端を備えており、その外形形状としては例えば角錐状、円錐状または楕円錐状などのほか、釘状、ピン状などとすることができる。これらの形状は、穿設する排水孔の孔径などを考慮して適宜選択することができる。その高さは、柱上配電機器の外箱の板厚よりも常識的な範囲で長くするのがよい。また、その材質は、外箱に排水孔を穿設可能なものであれば特に制限されず、高硬度の各種金属、合金やセラミックスなどのなかから適宜選択できる。なお、この穿刺端部は、前記穿刺部材に一体に固定されるものであってもよく(一体に成形される場合も含む）、着脱自在に取り付け可能とされるものであってもよい。
【００１４】
この穿刺端部を有する前記穿刺部材は、本発明の穿孔工具の使用時には、前記支承桿に加えられた操作力を該穿刺端部の尖端に伝達し、これによって穿孔しようとする柱上配電機器の外箱板材の所定の位置に押し当てるように機能するものであり、このような機能を有していれば、その強度特性や外形形状には限定されない。このような外形形状の具体例として、例えば球、楕円球、円柱、円周面にその長さ方向に沿って平面を有する略円柱、楕円柱、三角柱、四角柱などのほか、円錐台形、楕円錐台形、角錐台形などが挙げられる。前記穿刺端部は、これらの長さ（高さ）方向のいずれか一端面に位置させるのが好ましい。
【００１５】
柱上配電機器によっては、外箱の穿孔しようとする位置における板材の内面に内部部品が近接して収納されている場合がある。この場合、その位置に本発明の穿孔工具を用いて排水孔を穿設すると、当該内部部品に前記穿刺端部の尖端が接触して、これを損傷させる可能性がある。そこで、前記穿刺部材または前記穿刺端部には、穿孔作業の際、この穿刺端部が柱上配電機器の外箱内に深く貫入しすぎるのを防止するストッパー部を設けることができる。
【００１６】
このストッパー部としては、例えば前記穿刺端部の最大貫入深さを規定するように、前記穿刺部材または前記穿刺端部にその長さ方向の所定の位置から当該方向に直角に鍔状に張り出して設けられた平坦面などが使用できる。このような平坦面は、前記穿刺部材の一端面の一部にこの穿刺端部を設けることで形成してもよい。また、このような鍔状の平坦面に代えてまたは該平坦面とともに、ストッパー部として前記穿刺端部を挿通可能な挿通孔を中央に備える所定の板厚の鍔体などを使用することもできる。この場合、鍔体は、前記穿刺端部の外周面に嵌合するように前記挿通孔を穿設することで所定の位置に固定できるようにしてもよく、この鍔体の厚さ方向一端面を前記鍔状の平坦面に当接させて固定するようにしてもよい。この場合、板厚の異なる複数の鍔体を用意しておくことで、穿刺端部の最大貫入深さを変えることができる利点がある。
【００１７】
前記穿刺部材を前記支承桿の先端に装着するに当たっては、前記穿刺端部の高さ方向が穿孔しようとする柱上配電機器に穿孔可能な角度に向くように前記支承桿の長軸方向に対して一定の角度にて固定してもよく、回動可能となるようにしてもよい。いずれの場合も、必要であれば、前記穿刺部材もしくは前記支承桿の先端に装着部を設け、またはこれらの一方に装着部を、他方に被装着部を設けることができる。
【００１８】
さらに、前記穿刺部材は、前記穿刺端部を有する端面とは反対側の端部にフックを備えていることが好ましい。このフックには、排水を受けるための受器などを吊るすことができる。フックの種類、材質および形状には特に制限されないが、これに吊り下げた受器などが外れて落下するのを防止するために、その開口部を開閉可能な外れ止めを備えたフックを用いるのが好ましい。このフックは、穿刺部材の他端面に公知の手段を用いて直接固定してもよく、当該端面に固定されたアイボルトなどの連結金具を介して着脱自在かつ揺動自在に取り付けるようにしてもよい。このように、フックを設けてこれに受器などを吊るすことで、前記穿刺部材と前記受器とを１つの組み合わせ体として見た場合、この組み合わせ体における重心位置を前記穿刺部材を軸支または枢支する軸または軸状突起の位置よりも前記受器側に大きく移動させることができ、その結果、穿孔作業時には、この組み合わせ体の向きを略鉛直方向に保つことができる。
【００１９】
前記支持部材は、前記支承桿をその中間を下方から支持し、または上方から吊り下げ支持できる。前記支承桿を下方から支持する場合、例えば地上または高所作業車のバケット上に鉛直方向に所定の高さの支柱を立設しておき、その上端において該支承桿を支持するのがよい。また、上方から吊り下げ支持する場合、例えば電柱の腕木や穿孔の対象である柱上配電機器の吊り金具などから吊り下げ支持部材を垂下させ、その下端において前記支承桿を吊り下げ支持するのがよい。前記支柱または前記吊り下げ部材は、伸縮可能とされ、その全長を調整できるものであることが好ましい。これらのうち、電柱周囲に支柱を立てたり、高所作業車のバケットを近づけることができない場合があるなどの事情を考慮すると、本発明においては、前記支持部材として前記支承桿を上方から吊り下げ支持する吊り下げ支持部材を用いるのが好ましい。
【００２０】
前記支承桿を吊り下げ支持する場合、前記吊り下げ支持部材としては、前記支承桿などの重量を支えるとともに、穿孔作業に際してこれに加えられる荷重に耐えられるものであれば特に制限されず、棒体および管体などのほか、例えば、ワイヤロープまたはロープなどを用いることができる。この支持部材の一端には、支承桿を挿通し揺動可能に支持する支持金具を取り付けることができるが、支持部材としてロープを用いる場合には、これを直接支承桿に結びつけるようにしてもよい。前記支持金具としては、例えばアイボルト、フック、カラビナおよびシャックルなどが挙げられ、これらは、公知の方法によって前記吊り下げ支持部材に取り付けることができる。
【００２１】
前記支持金具に前記支承桿を挿通して支持する場合、この支承桿には脱落防止部材を取り付けるのが好ましい。この脱落防止部材としては、前記支持金具の外形寸法よりも大きい直径を有する鍔状体などが好適に使用できる。この鍔状体からなる脱落防止部材は、中央の開口が前記支承桿の外周に密着し取り付け位置を変えられないものであってもよいが、好ましくは前記支承桿に沿ってその取り付け位置を変えることができるものがよい。この脱落防止部材を前記支承桿に取り付けることで、作業者が支承桿の把持部から手を離した場合でも、支持金具から滑り落ちるのを防止できる。
【００２２】
以下、添付図面を参照して本発明の穿孔工具の実施形態を詳細に説明するが、本発明は以下の実施形態に限定されるものではないことは言うまでもない。図１は、本発明の穿孔工具の実施形態の一例を示し、図２は、本発明の穿孔工具の別の実施形態の例を示している。なお、図２に示す実施形態は、図１に示す実施形態とは穿刺部材３およびその支承桿２への装着の状態が異なるものであることから、支承桿２の先端部のみを図示し、その他端側および支持部材については図示していない。また、以下の図では、同一または共通の各部については同一の符号を用いている。
【００２３】
本発明の穿孔工具１は、図１に示すように、支承桿２、穿刺部材３および吊り下げ部材４を備えている。支承桿２は、外周を絶縁被覆処理した金属管からなり、その一端に穿刺部材３を軸支するための装着部２０を備え、他端には作業者が支承桿２を把持する把持部２２が設けられている。装着部２０は、支承桿２の軸線方向に沿って対向して平行に延びる２本の軸支片１９、１９を備え、穿刺部材３をその両側面から把持するように略Ｕ字形状を呈しており、２つの軸支片１９、１９には先端寄りにそれぞれボルト通し孔１９１、１９１が穿設されている。
【００２４】
この装着部２０を介して支承桿２に回動可能に装着される穿刺部材３は、穿刺部材本体１０と、その長さ方向一端面の略中央に位置する穿刺端部１２と、他端面に固定されたフック１３とからなる。
【００２５】
穿刺部材本体１０は、円周面に対向して２つの平行な平面を有する略円柱状を呈しており、この２つの平面が前記支持片１９，１９の内面にそれぞれ当接するように装着部２０に嵌合されている。この２つの平面には、これらを貫通する貫通孔（不図示）が穿設されており、この貫通孔とボルト通し孔１９１，１９１とに軸１５としてのボルトが挿通されている。このボルト１５は、その先端にナット（不図示）などを螺合することで固定できる。かくして、穿刺部材本体１０は、この軸１５によって軸支され、当該軸１５の周りに回動可能とされる。
【００２６】
穿刺部材本体１０は、その長さ方向一端面の略中央に穿刺端部１２を有しており、当該端面にはその径方向外方に延設された外鍔１１が設けられている。この外鍔１１を有する端面は、穿刺端部１２が柱上配電機器の外箱の底板から外箱の深部に達して内部の部品を損傷することを防止するストッパーの役割を果たしている。
【００２７】
穿刺部材本体１０の他端面には、外れ止め１４を備えたフック１３が取り付けられている。外れ止め１４は、ねじりコイルバネなどによって常時フック開口部を塞いだ状態に付勢され、このフックに受器の把手などを掛け外しする際にのみ前記付勢力に抗して当該開口部を開くことができるものであることが好ましい。
【００２８】
支承桿２として絶縁操作棒を用いる場合、図２に示すように、当該絶縁操作棒２とこれに取り付けられる公知の先端工具とを連結するのに通常使用される菊座部１８を備えた連結具なども装着部２０として好適に使用できる（以下、この連結具についても符号２０を用いる）。この連結具２０は、絶縁操作棒２の先端に装着される装着部２１と、その先端に当該連結具２０の長さ方向に沿って半割りした略円錐形状の軸支片１９とを備えており、前記軸支片１９には、該半割り面の略中央からその外周に貫通するねじ孔１９１が穿設され、当該ねじ孔１９１を中心とする円周上に複数の歯が所定の間隔で突設され、菊座部１８が形成されたものである。
【００２９】
図２における穿刺部材３では、円柱状の穿刺部材本体１０の長さ方向一端に穿刺端部１２を有しており、当該端面に面一に外鍔１１が設けられている。穿刺部材本体１０には、軸通し孔１６１を有する被装着部１６がその側面に長さ方向に沿って固着されており、この被装着部１６と前記軸支片１９とを蝶ねじ（軸）１５によって連結することで、穿刺部材３は回動可能とされている。蝶ねじ１５の周りに穿刺部材３が回動しやすいように、蝶ねじ１５には、その軸線に沿って突片１６と菊座部１８との間および突片１６と蝶ねじ１５の頭部との間にそれぞれ平ワッシャー１７，１７が嵌装されている。この穿刺部材３の他端面には、これに固定されたアイボルト１０１に外れ止め１４を備えたフック１３が取り付けられている。
【００３０】
図２に示す穿刺部材３は、これが被装着部１６を介して連結具２０と連結された状態で、記絶縁操作棒２に装着可能な間接活線工法における穿孔用の先端工具として用いることもできる。
【００３１】
図１に吊り下げ支持部材４は、例えば柱上配電機器の上方にある電柱の腕金、腕木や柱上配電機器の架台（いずれも不図示）などから当該支承桿２の中間を吊り下げ支持するものである。この吊り下げ支持部材４は、ワイヤロープ３０とその一端に取り付けられたシャックル３１とを有している。このシャックル３１の開口に、支承桿２が挿通される。この吊り下げ支持部材４には、その中間にシメラー（商品名、登録商標）などの手動ウインチ（図３、符号２９参照）を介在させることができる。
【００３２】
図１に示す実施形態において、支承桿２の把持部２２に作業者が下方への操作力を加えることで、シャックル３１と支承桿２との接点を支点とし、穿刺部材３（穿刺端部１２）を作用点とする梃子の原理によって穿刺部材３が上昇する。この実施形態の穿孔工具を用いることで、例えば腐食によって生じた穴を通して雨水が浸入した柱上配電機器の底板に間接活線工法によって確実に排水孔を穿設し、内部に浸入した水を排水でき、その結果配電線事故を未然に防止できる。しかも、この穿孔作業では、本発明の穿孔工具が梃子の原理を利用するので、作業者は大きな操作力を加える必要がなく、疲労度も小さくでき、さらに作業者は柱上配電機器の真下で作業することがないので、錆を含む排水をかぶる危険性がなく、安全上も問題がない。
【００３３】
次に、柱上配電機器の1種である柱上開閉器について、本発明の穿孔工具を用いた間接活線工法による応急補修方法について説明する。図３は、本発明の柱上開閉器の応急補修方法の実施状況を示す図である。この図において、電柱６０上の腕木６１に取り付け金具５１を介して吊設された柱上開閉器５０は、著しい腐食によって外箱に穴５２があき、内部に雨水が浸入しているものとする。
【００３４】
腕木６１の最外端寄りにワイヤロープ３０の一端を掛け、これを垂下させる。このワイヤロープ３０には、図３に示すように、その中間に手動ウインチ２９が取り付けられ、下端にはシャックル２９が取り付けられている。
【００３５】
一方、支承桿２には、予めその中間に脱落防止部材２４を装着し、またその先端に穿刺部材３を回動可能に装着しておく。穿刺端部１２には、これが柱上開閉器５０内に深く貫入して内部部品の損傷や配電線事故が生じるのを防止するために、必要であれば。穿刺部材本体１０の端面に当接させて外鍔（不図示）を挿通しておいてもよい。
【００３６】
前記シャックル２９をワイヤロープ３０から取り外し、この支承桿２の穿刺部材３と脱落防止部材２４との間にシャックル２９のＵ字部分をあてがい、この状態で支承桿２を持ち上げて前記ワイヤロープ３０の下端においてシャックル２９の蝶ねじを螺合することで、支承桿２を吊り下げ支持する。その後、手動ウインチ２９を調製してワイヤロープ３０の長さを調節し支承桿２を昇降させ支点の高さ位置を調整し、かつ、シャックル２９に挿通した支承桿２をその長軸方向に移動させて、穿刺部材３が柱上開閉器５０の底板の直下の所定の位置にくるようにする。
【００３７】
穿刺部材本体１０に装着されているフック１３に、ビニール袋を取り付けた工具袋からなる受器４０の把手を掛けると、受器４０の重量により穿刺部材２は軸１５の回りを回動し、略鉛直の状態に維持される。この受器４０の開放端には、網４１を取り付けている。
【００３８】
作業者は、支承桿２はその把持部２２を把持してこれに下方に操作力を加えることにより、梃子の原理に従って穿刺部材３は上昇し、穿刺端部１２は柱上開閉器（外箱）５０の底板の所定の箇所を貫通し、不図示の排水孔を穿設する。穿刺端部１２を排水孔から抜き去ると、柱上開閉器５０の内部の水が排水され、受器４０に貯められる。
【００３９】
一方、柱上開閉器５０の上面の腐食によって生じた穴５２については、その周辺を公知の方法によって研磨する。研磨には、例えば、公知のヤスリの把手部分を絶縁操作棒などの先端に取り付けたものなどを使用することができる。ヤスリは、その長さ方向が前記絶縁操作棒の長軸方向に対して一定の角度をなすように当該絶縁操作棒に固定してもよいが、当該角度を調整可能に取り付けてもよい。
【００４０】
後者の場合、図２に示す連結具（装着部２０）を用い、装着端２１を絶縁操作棒の先端に装着し、反対側の半割り面にヤスリの把手部分を固定し、これら２つの菊座アダプターを向い合わせにしてボルト、ナットで連結するようにしてもよい。この場合、ボルトに螺合したナットを緩めることで、ヤスリと操作棒とのなす角度を自在に調整することができる。
【００４１】
穴あき部分とその周辺に貼着して穴を塞ぐパッチ材は、少なくとも防水性を備えた素材であって、フィルム、シート、織布または不織布などの形態を有するものが使用できる。パッチ材は、さらに水蒸気は通すが、液体水を通さない微多孔性のものを使用することが好ましい。このような微多孔性の素材の代表例として、ゴアテックス（商品名、登録商標：ゴアテックス社製）などを挙げることができる。なお、ゴアテックスは、多孔質延伸ポリテトラクロロエチレン（ｅＰＴＦＥ）を中心とする高機能ポリマーの薄膜である。さらに、このパッチ材は耐熱性、難燃性および耐候性など備えたものであってもよい。
【００４２】
このようなパッチ材は、補修作業時に円形状または四角形状に裁断して用いられるが、対向する位置にそれぞれ耳部を設けておくことが好ましい。これらの耳部を除いて薄膜片の接着面には公知の接着剤を塗布し、その上で間接活線工法用の把持工具を用いて穴あき部分の周辺領域に貼着するが、その場合、接着面を外側に向けてこの耳部を重ね合わせるように２つ折りすることで、把持工具で把持しやすくなる。
【００４３】
このパッチ材を用いて穴あき部分を塞ぐ工程は、前記の柱上開閉器外箱の底板に排水孔を穿設する工程の前後いずれで実施してもよい。
【００４４】
以上説明したように、腐食が著しく雨水が浸入する程度の穴があいた柱上開閉器に本発明の応急補修方法を実施することで、当該柱上開閉器を取替えに時間がかかる場合でも、取替えまでの延命を図ることができる。
【図面の簡単な説明】
【００４５】
【図１】本発明の穿孔工具の実施形態の一例を示す斜視図である。
【図２】本発明の穿孔工具の別の実施形態の例を示す図である。
【図３】本発明の柱上開閉器の応急補修方法の実施状況を示す図である。
【符号の説明】
【００４６】
１    穿孔工具
２    支承桿
３    穿刺部材
４    支持部材（吊り部材）
１０    穿刺部材本体
１１    外鍔
１２    穿刺端部
１３    フック
１４    外れ止め
１９    軸支片
２０    装着部
２１    基部（装着部）
２２    把持部
２４    脱落防止部材
２９    ワイヤロープ手動ウインチ
３０    ワイヤロープ
３１    シャックル
４０    受器
４１    金網
５０    柱上開閉器
５１    吊り金具
６０    電柱
６１    腕木
Ｗ    操作力の方向
【図１】
2008079414.tif 000003
【図２】
2008079414.tif 000004
【図３】
2008079414.tif 000005